(57)【要約】【課題】きわめて簡素な構成で、しごく容易に着脱することができる、たとえば雄型と雌型との連結箇所を工夫して仮想軸を成せるような一対を形成する着脱式蓋装置を提供する。【解決手段】雄型と雌型との一対の組み合わせ、容器体、蓋から構成される着脱式蓋装置とする。雄型に相対させた雌型の条件を定義し、有効に引っ掛かり合う一対を形成する。雄型は、対向する位置にコ字状および逆コ字状の切り欠部を有する。切り欠いた残部に首部を有する。雌型は、雄型の首部を抱止する左右の腕部を有する。一対の連結箇所を直線的な辺から設けて仮想軸を成せるように仕組む。またそれらの辺をＲ面に設ける。さらに、連結箇所に適宜なゆとり分を加える。【選択図】        図７
2005041575.tif 000002
【特許請求の範囲】
【請求項１】
上方の開口に開閉自在な蓋を有する有底中空容器もしくは無底中空容器に取り付ける、雄型として
（ａ）  上下の辺にＲ面を設けて成るコ字状と逆コ字状の切り欠部の上に頭部を下に胴部を、切り欠いた残部に首部を有するもの、もしくは胴部のないもの、
（ｂ）上下の辺がＲ面でないコ字状と逆コ字状の切り欠部の上に頭部を下に胴部を、切り欠いた残部に首部を有するもの、もしくは胴部のないもの、
（ｃ）縦に分割された、または縦方向に湾曲させた、または分割して湾曲させた、あるいはそれらをたわむようにしたもの、
雌型として
（ｄ）雄型の首部を抱止できる左右の腕部と、腕部の外側から下方にまたがる周囲部と、上下の辺にＲ面を設けて成る胸穴、あるいは長穴とを有するもの、
（ｅ）雄型の首部を抱止できる左右の腕部と、腕部の外側から下方にまたがる周囲部と、上下の辺がＲ面でない胸穴、あるいは長穴とを有するもの、
（ｆ）縦に分割された、または縦方向に湾曲させた、または分割して湾曲させた、あるいはそれらをたわむようにしたもの、
である雄型と雌型とのいずれかを組み合わせた一対を含む着脱式蓋装置。
【請求項２】
切り欠部の高さと幅の比が１対１から１対１０までの範囲内である請求項１に記載の着脱式蓋装置。
【請求項３】
切り欠部幅の中間点に相対する位置から内側へ伸びた、腕部を有する雌型である請求項１または請求項２に記載の着脱式蓋装置。
【発明の詳細な説明】
【技術分野】
【０００１】
本発明は容器、ならびに袋用ハンガーの着脱式蓋装置に関する。
【背景技術】
【０００２】
特開平２０００−２３２９３６（以下、特許文献１という）には、容器体の後部に固設された取付板部、その取付板部に着脱自在に取り付けられたブラケット、蓋体の後部に取り付けられた回動部材、この回動部材と前記ブラケットを挿通したシャフト、このシャフトに挿通された状態で設けられた圧縮ばね、容器体および蓋から構成されている営業用おでん鍋の着脱式蓋装置が記載されている。そして、シャフトを枢軸として鍋蓋を回動させている。
【０００３】
特開平１１−２６８７６５（以下、特許文献２という）には、変形可能に形成された箱体の容器であって、開口部上面周縁部の全周に形成されたフランジ部を有し、開口部の周囲にフィルム状の覆い部材を粘着することによって、上方の開口を密封状態に覆うことのできる開閉自在密閉容器が記載されている。
【０００４】
特願２００２−１４８６１５（以下、特許文献３という）には、口金、フック、収納袋および蓋から構成されている袋用ハンガーを記載している。収納袋を開口しながら口金に装着しあらかじめねじ止めしたフックに掛ける。このようにして開口された収納袋を壁面からの空間に配置し、生ゴミなどを容易に収納し簡易に廃棄できるようにしている袋用ハンガーであるが、その収納袋の開口を覆うために、フック突設部に引っ掛けることができる長穴あるいはＴ字穴を形成した蓋を作成している。また、リサイクル用スタンド式袋用ハンガーの定板に蓋取り付け片を固定している。
【０００５】
【特許文献１】特開平２０００−２３２９３６号公報（第００１８段落、第００２０段落、図５）
【特許文献２】特開平１１−２６８７６５号公報（第０００６段落）
【特許文献３】特願２００２−１４８６１５号（第００２１、段落第００３２段落、第００３９段落、第００４１段落、第００４２段落、図３、図４、図６、図７、図８）
【発明の開示】
【発明が解決しようとする課題】
【０００６】
しかしながら、特許文献１に記載の着脱式蓋装置は、蓋を取り外すときに着脱自在のブラケット、シャフト、圧縮ばねを分解しなければならない。そのため、蓋を洗浄するのに分解する手間が掛かる。また、部材をいくつも形成すればコストが掛かる。
【０００７】
また、広く知られている着脱式蓋装置として、ピンを枢軸として蓋を回動させる装置が挙げられる。この装置は、ピンが固着されたブラケットと穴を有するブラケットが蓋の後部および容器体後部に回動部材として固設されている。このような回動部材が固設されている点で特許文献１に記載の装置と類似しているが、シャフトに比較すると、該装置が有するピンは、ほんの小さな、小型の容器に見合ったピンである。なお、回動部材が有している左右の小穴、ブラケット、取付板部なども小さな容器に見合ったものである。そして、左右に向けてほんの少しだけ突起させたピンと、両側のブラケットに形成された穴とを嵌め合わすことによって、容器体に蓋を取り付ける仕組みになっている。この仕組みは蓋が軽い場合は支障がない。しかしながら、ある程度蓋の容量も嵩み重量も増す蓋であった場合、開いて保持される蓋の重量が増しピンに掛かる負担も大きくなる。そのため、ほんの少しだけ突起させたピンではその負担に耐え切れず、穴から外れてしまう問題が生じる。かといって、両側の穴に嵌め合わさないといけないピンを、左右に向けて多めに突起させると着脱が困難である問題が生じる。そのような理由から、ある程度容量も嵩み重量も増す蓋を有する容器には採用し難い該装置である。
【０００８】
また、つぎのような不具合が生じるために、容器体の上部開口の内周縁あるいは外周縁にぴったり係合するフランジ部、およびある程度深さのあるフランジ部を全周に有する蓋を備えた容器にも採用し難い該装置である。このような容器に採用したと仮定すれば、蓋のフランジ先端が容器体上方開口の内周縁あるいは外周縁と合致しないため、蓋を嵌めようにも互いの位置がずれてしまう。また蓋を外そうにも、容器体上方開口の内周縁あるいは外周縁側面にフランジ先端が当たって動かないため外れない。
これを解決するには、容器体に取り付けた蓋を上下、水平、斜め方向へと少々移動させることができるように、取り付ける箇所に少々のゆとり分を加えるとよいことが考えられる。が、該装置にゆとり分を加えるとしてもがたつきが生じる問題がある。      
【０００９】
さらに、該装置を採用した容器を見ると、蓋の周縁に形成されているフランジの深さの浅いもの、容器体や蓋の周縁部を部分的に欠いたもの、また傾斜面に設けてあるものなどがあるが、上方の開口を覆うだけのものは良いとしても、密閉性に富んだ容器であるためにはこのようなものでは用を足せない問題がある。
【００１０】
特許文献２に記載の開閉自在密閉容器は、病院用消毒綿等の保存容器であり、空になったら使い捨てる容器である。この密閉容器は洗浄する必要がないから、繰り返し覆い部材を粘着できる。しかしタッパーのような密閉容器は、頻繁に洗浄する容器であるから、その蓋を粘着剤に頼るのは無理である。
食卓に出すための食べ物をタッパーに保存している場合、食卓に配膳する前に蓋を開けてその場に蓋を置く。そして食べ物は容器体ごと配膳することがよくある。そんなとき容器体と蓋は別々になり、蓋が迷子になりやすい問題がある。
【００１１】
特許文献３に記載の袋用ハンガーの着脱式蓋は、袋用ハンガー蓋を取り付ける箇所に引っ掛かりがないため蓋がずれ上がり外れることが考えられる。
【００１２】
一般に、家庭の台所などから排出される生ゴミをリサイクルする目的で使用されている、コンポストまたはコラポンなどと呼ばれる家庭用生ゴミ処理器が従来から知られている。庭や畑の片隅などを掘って、その中にコンポスト筒体の下部を生け込み配置されているが、台所などから持って出た生ゴミ収納袋の底を両手で持って逆さにし、生ゴミをコンポストの筒体に投入する際、立てかけたはずの外した蓋が転んで離れたところにいくという問題がある。
【００１３】
また、ペール、漬物容器、食器籠、鍋などは蓋を取り外してから置くスペースを必要とする問題がある。また、鍋蓋を開放して置くときは、内面に付着しているつゆが下方に流れ落ちないように逆さにひっくり返して置くと衛生的であるが、突出した持つ手があるため不安定でコロコロする問題がある。
【００１４】
さらに、蒔きえを収納した魚釣り用バケツを携えて釣りをしているときに雨が降り出すこともあるが、熱中すると、少々の雨くらいでは釣りを止めない人が多い。でも困ることに、パン粉などを混ぜて作った蒔きえに雨水が浸入し使い物にならなくなる恐れがある。それで蒔き餌籠に蒔き餌を入れる作業を急いで、さらに急いで蓋を閉める。そのように作業が忙しいにもかかわらず、いちいち蓋を取り外し、その近辺に置かなければならないという問題がある。
【００１５】
本発明は、きわめて簡素な構成の着脱式蓋装置とすること、着脱をしごく容易にすること、洗浄しやすい形状にすること、容易に、また低コストで形成できること、また、蓋の取り付け箇所に少々のゆとり分を加えて、ある程度深さのあるフランジ部を全周に有する蓋の嵌め外しを可能にすること、また、袋用ハンガー蓋の取り付け箇所に引っ掛かりを設けて外れ難いようにすること、タッパーの蓋などを開けて保持できるようにすること、コンポストや魚釣り用バケツなどの蓋をいちいち取り外さなくても済むようにすること、ペール、漬物容器、食器籠、鍋などの蓋の置き場に困らないようにすることなどを目的とし、二方向から嵌め外しして便宜を図ることができる、さらに、分別用スタンド式袋用ハンガーのフック定板などに固定する部品とすることができる着脱式蓋装置を提供することを目的としている。
【課題を解決するための手段】
【００１６】
本発明に係る容器とは、上方が開口する有底中空容器、もしくは無底中空容器であり上方開口に開閉自在な蓋を有するものである。
本願発明者は、仮想軸を枢軸として蓋を回動させる着脱式蓋装置を実現し、前記課題を解決した。本発明の着脱式蓋装置は、雄型と雌型との一対の組み合わせ、容器体、蓋から構成されている。そして、引っ掛け合わした一対をさらに回動させる仕組みや、また、一対の連結箇所に適宜なゆとり分が加わることを特徴とする。すなわち、
本発明は、対向する位置にコ字状と逆コ字状切り欠部を有する雄型である。切り欠部の上下の辺にＲ面を設けて成るもの、あるいはＲ面でないものもこの雄型に含まれる。切り欠部から上に頭部を、その下に胴部を、切り欠いた残部に首部を有するもの、もしくは胴部のないものもこの雄型に含まれる。それらの雄型が縦に分割された、または縦方向に湾曲させた、または分割して湾曲させた、あるいはそれらをたわむように形成されたものも、さらに本発明の雄型である。
雄型頭部の両側は、下端を０．１〜０．５ｍｍ程度含めて上端までをアール形状にすれば好ましい。
切り欠部の高さと幅の比としてとくに制限はないが、１対１から１対１０までの範囲内であれば、家庭用として十分に使用できる。
【００１７】
また本発明は、雄型の首部を抱止することのできる、つまり雄型の首部に引っ掛かることのできる左から内側へ伸びた腕部と右から内側へ伸びた腕部を有する雌型である。また、腕部の外側から下方にかけてまたがる周囲部を有し、その中央に胸穴あるいは長穴を成すものもこの雌型に含まれる。また、胸穴あるいは長穴を成す上下の辺にＲ面を設けて成るもの、またはＲ面でないものもこの雌型に含まれる。
それらの雌型が縦に分割された、または縦方向に湾曲させた、または分割して湾曲させた、あるいはそれらをたわむように形成されたものも、さらに本発明の雌型である。
【００１８】
以上のような雄型と雌型からさまざまな一対の組み合わせができる。
一対は、まずは片側どうしを引っ掛け合わす、次に残る片側どうしも引っ掛け合わすという手順で嵌め合わす。がしかし、この一対は容器の蓋を着脱するために利用するから、嵌め合わしたものを、その一方では取り外すことも可能にしなければならない。そのため、取り外せる範囲内において最も引っ掛かり合うことのできる、すなわち有効に引っ掛かり合う一対を設けるとよい。
【００１９】
有効に引っ掛かり合う一対を設けるために、雄型に相対させながら雌型の条件を定義する。その条件とは、
コ字状および逆コ字状切り欠部を成す下辺を切り欠部幅とし、切り欠部幅の中間点から垂直線を下ろす。その垂直線上に基点を設け、その基点から内側へ伸びた左右からの腕部を設ける。
腕部の幅を切り欠部幅と同等にするか、あるいは同等以上から、より内側へ伸ばして左からの腕部と右からの腕部が結合する結合点までの間であればよい。腕部を結合点まで設けると、左右の腕部が結合して一つになるので長穴を成す雌型とする。
以上の定義に従って一対を形成すれば、前記したように雄型頭部の両側下端を０．１〜０．５ｍｍ程度含めて上端までをアール形状に形成していることから、残る片側の頭部は、雌型の胸穴あるいは長穴をぎりぎり通過する。そして、互いは有効に引っ掛かり合う。
【００２０】
腕部の幅と切り欠部の幅を同等に設定した場合、また一方では、雌型腕部が雄型切り欠部を通過するので、互いは二方向から通過し合える。つまり二方向から嵌め合わすことができる。
【００２１】
また、引っ掛け合わした一対は襷がけに交差しているので、一対の片方を固定すれば、その相方をある程度回動させることが可能である。このことを利用するために、容器体から一対の片方を突設して固定し、蓋からその相方を突設する。そして、一対を引っ掛け合わして容器体に蓋を取り付け、取り付けた蓋を回動させる。
さらに、任意の位置まで蓋を回動させることを可能にすれば、開いて円弧上の任意の位置に蓋は保持されることになる。このように利用するためには、任意の角度だけ回動させることができる一対を、また、連結箇所を工夫して仮想軸を成せるような一対を形成すればよい。それには、
蓋を開閉するときの枢軸となる仮想軸を曲線から成すのは無理があるから、切り欠部コ字状を成す上辺と逆コ字状を成す上辺を一直線上に設ける。それらの下辺も一直線上に設ける。また、胸穴あるいは長穴を成す上辺と下辺を平行に設ける。このように連結箇所を直線から設けて仮想軸を成せるように仕組む。
【００２２】
また、角面があっては回動を妨げる。そのため、切り欠部を成す上下の辺、胸穴あるいは長穴を成す上下の辺を好ましくは扁平率５０％内外のＲ面に設ける。このようにすれば回動を妨げる角面もなくスムーズに回動させることができる。延いては、切り欠部、胸穴あるいは長穴の高さも抑えることができる。
【００２３】
さらに、蓋を開いて保持する位置が円弧上の角度を要するほど、切り欠部や胸穴あるいは長穴がそれなりの高さを要する。それらの高さがありすぎても、連結箇所に加わるゆとり分が多すぎて、良い仮想軸を成せない。良い仮想軸を成すには、それらの高さが適宜であることが理想である。
そのためには、蓋を開いて保持できる位置を検討し、回動させる角度を最小限に留めるようにする。例えば、山形にふくらんだ形状の、また上面に持ち手が固設されているような蓋は、９０度開いた蓋の重心が外側寄りになる。
また、連結箇所には開いた蓋を支える支点が生じるが、蓋の全周に形成されているフランジ部先端から雄型あるいは雌型を突設すれば、蓋の上面から突設した場合に比較して、支点が内側に入り、開いた蓋の重心が外側に寄りやすいので、タッパーのような軽い蓋の場合でも開いて円弧上１００度程度を保持位置とすることができる。蓋の容量も嵩み重量も増す場合は、９０〜９５度程度で開いた蓋の重心が外側に寄りやすい。これらの理由から９０〜１００度程度に保持位置を決めることができる。
【００２４】
蓋の保持位置を９０〜１００度程度に決めた場合、切り欠部の高さ、胸穴あるいは長穴の高さ、それらを相方の材質の厚みに対して１．５〜２．４倍程度の高さに設定することができる。この程度の高さであれば、雄型、雌型の材質の厚みが１〜３．５ｍｍ程度の場合、連結箇所に加わるゆとり分が０．５〜５ｍｍ程度である。連結箇所のゆとり分は、切り欠部の高さ、胸穴あるいは長穴の高さから、相方材質の厚み分を引くところの残り分であるが、この残り分を０．５〜５ｍｍまでとすれば、十分に良い仮想軸を成せる。
以上のようにして形成した一対を容器体と蓋に設け、容器体に取り付けた蓋を開いて円弧上９０〜１００度程度に保持することができる。また、一対の連結箇所において枢軸となる仮想軸を成せる。さらに、連結箇所に０．５〜５ｍｍ程度の適宜なゆとり分が加わる。
【００２５】
適宜なゆとり分が加わることで、取り付けられた蓋を上下、水平、斜め方向へと少々移動させることができる。そして、容器体上方開口の内周縁あるいは外周縁にぴったり係合するフランジ部を、またある程度深さのあるフランジ部を全周に有する蓋を備えた容器に採用した場合、容器体に取り付けた蓋のフランジ部先端を容器体上部開口の内周縁や外周縁に合致させることができる。このように蓋の嵌め外しが可能になるので従来からの一般的な容器にも採用できる。
【００２６】
なお、蓋を開けると、蓋に突設した雄型また雌型の頭部また腕部が同じ角度だけ反対方向に回動するけれども、蓋を９０〜１００度程度しか開けないので、頭部また腕部が要する作動範囲も９０〜１００度程度あれば足りる。そのようなことから、雄型および雌型を容器体および蓋に設けるに際しては、水平方向へ向けたり、斜め上方や斜め下方へ傾斜させたり、または、ほぼ下方へ向けたりして、容器の形状に合わせた角度を設けて突設すればよい。
容量も嵩み重量も増す蓋を有する場合は、開いて保持される蓋の下方を支えることができるような形状に、雄型あるいは雌型の頭部あるいは腕部を設けると良い。さらに強度を補うための容器体側面などに接合させるブラケットを形成すれば、雄型あるいは雌型に掛かる負担は軽減される。
【００２７】
本発明の容器に取り付ける雄型として、上下の辺にＲ面を設けて成るコ字状と逆コ字状の切り欠部の上に頭部を下に胴部を、切り欠いた残部に首部を有するもの、もしくは胴部のないものである。また、上下の辺がＲ面でないコ字状と逆コ字状の切り欠部の上に頭部を下に胴部を、切り欠いた残部に首部を有するもの、もしくは胴部のないものでもある。それらが縦に分割された、または縦方向に湾曲させた、または分割して湾曲させた、あるいはそれらをたわむようにしたものでもある。切り欠部の高さと幅の比としてとくに制限はないが、１対１から１対１０までの範囲内であれば十分に使用できる。
また、本発明の容器に取り付ける雌型として、雄型の首部を抱止できる左右の腕部と、腕部の外側から下方にまたがる周囲部と、上下の辺にＲ面を設けて成る胸穴、あるいは長穴とを有するものである。また、雄型の首部を抱止できる左右の腕部と、腕部の外側から下方にまたがる周囲部と、上下の辺がＲ面でない胸穴、あるいは長穴とを有するものでもある。それらが縦に分割された、または縦方向に湾曲させた、または分割して湾曲させた、あるいはそれらをたわむようにしたものでもある。切り欠部幅の中間点に相対する位置から内側へ伸びた腕部を有するものでもある。本発明の着脱式蓋装置は雄型と雌型とのいずれかを組み合わせた一対を含む。
【００２８】
本発明の着脱式蓋装置は、上方の開口に開閉自在な蓋を有する有底中空容器もしくは無底中空容器に取り付ける、雄型として
（ａ）  上下の辺にＲ面を設けて成るコ字状と逆コ字状の切り欠部の上に頭部を下に胴部を、切り欠いた残部に首部を有するもの、もしくは胴部のないもの、
（ｂ）上下の辺がＲ面でないコ字状と逆コ字状の切り欠部の上に頭部を下に胴部を、切り欠いた残部に首部を有するもの、もしくは胴部のないもの、
（ｃ）縦に分割された、または縦方向に湾曲させた、または分割して湾曲させた、あるいはそれらをたわむようにしたもの、
雌型として
（ｄ）雄型の首部を抱止できる左右の腕部と、腕部の外側から下方にまたがる周囲部と、上下の辺にＲ面を設けて成る胸穴、あるいは長穴とを有するもの、
（ｅ）雄型の首部を抱止できる左右の腕部と、腕部の外側から下方にまたがる周囲部と、上下の辺がＲ面でない胸穴、あるいは長穴とを有するもの、
（ｆ）縦に分割された、または縦方向に湾曲させた、または分割して湾曲させた、あるいはそれらをたわむようにしたもの、
である雄型と雌型とのいずれかを組み合わせた一対を含む。
本発明の着脱式蓋装置の切り欠部の高さと幅の比が１対１から１対１０までの範囲内であるものも含まれる。
また、切り欠部幅の中間点に相対する位置から内側へ伸びた、腕部を有する雌型であるものを着脱式蓋装置にもちいるものも本発明に含まれる。
【００２９】
このような構成によってきわめて簡素な着脱式蓋装置とすることができる。また、着脱がしごく容易で、洗浄しやすい形状である。容易に、低コストで形成することができる。タッパーなどの蓋を開けて保持でき、コンポストや魚釣り用バケツの蓋をいちいち取り外さなくても済み、ペール・漬物容器・食器籠・鍋などの蓋の置き場が不要となる。雄型や雌型を部品として形成すれば、袋用ハンガーフック定板などにねじ止めなどにより固定することができる。
【発明の効果】
【００３０】
任意の位置でストップさせるためのストッパーや、ピン、穴、およびピンや穴を設けるためのブラケットなどが不要であり、きわめて簡素な構成である。小さなピンと穴を嵌め合わす作業や、分解する作業を行わなくて済むことから、着脱がしごく容易である。洗浄しやすい。また容易に、低コストで形成することができる。
【００３１】
雄型と雌型とのさまざまな一対の組み合わせができる。一対を適宜に選択できるので、容器体や蓋の形状に合わせやすい。また、雄型あるいは雌型を容器体あるいは蓋に角度を設けて突設する際も、水平方向へ向けたり、斜め上方や斜め下方へ傾斜させたり、または、ほぼ下方へ向けたりと蓋や容器の形状に合わせることができる。
また、容器体側面に固設された取っ手などを利用して、雄型あるいは雌型として兼用することができる。
【００３２】
一対の連結箇所に適宜なゆとり分が加わるので、容器体に取り付けられた蓋を、上下、水平、斜め方向へと少々移動させて、蓋のフランジ先端部分を容器体上方開口の内周縁あるいは外周縁に合致させることができる。従って、容器体の上部開口の内周縁あるいは外周縁にぴったり係合するフランジ部、およびある程度深さのあるフランジ部を全周に有する蓋を備えた容器にも採用することができる。
【００３３】
開いて保持される蓋を下方から支えることができる形状の、頭部あるいは腕部を設けることが可能であり、さらにそれら頭部あるいは腕部の強度を補うためのブラケットを容易に形成することができるので、蓋の重量が増しても雄型あるいは雌型に掛かる負担を軽減させることができる。従って、材質の厚みが薄くて軟弱な雄型あるいは雌型でもって、容量も嵩み重量も増す蓋を開いて保持することが可能になる。
【００３４】
コンポスト、ペール、漬物容器、魚釣り用バケツ、食器籠、鍋、タッパーなどの蓋をいちいち取り外さなくても済む。また、蓋の置き場が不要となる。
【００３５】
腕部の幅と切り欠部の幅を同等に設定した一対の場合、雄型に対しては正面方向とその頭部方向から、雌型に対しては正面方向とその腕部方向からというように一対を二方向から嵌め合わすことができる。この一対を、蓋を着脱する頻度の多い袋用ハンガーやタッパーなどに採用して便宜を図ることができる。
また、袋用ハンガー蓋の取り付け箇所に引っ掛かりを設けることができるので、蓋がずれ上がらないで済む。なお、リサイクル品などの分別用として外壁などの高所に配置した場合に、強風にあおられたりしても蓋が吹き飛ばないで済む。
【００３６】
部品として雄型また雌型を形成することができる。この雄型また雌型の部品をリサイクル用スタンド式袋用ハンガーのフック定板にボルト止めなどにより固定することができる。
【発明を実施するための最良の形態】
【００３７】
本発明の実施の形態を、図面を参照して説明する。
コンポスト１００に採用して開いた蓋を円弧上９０度の位置に保持している様を図７（ｂ）に示す。図７（ａ）に示すように、雄型３０を蓋１２０の上面に沿わせて突設し、雌型８０をコンポスト１００の筒体一側面１３０から突設している。この雄型３０と雌型８０との一対を引っ掛け合わして筒体に蓋１２０を取り付け、その蓋１２０を９０度だけ回動させることができるように一対の連結箇所を工夫して設けている。        
雄型１０・２０・３０・４０について、図１（ａ）（ｂ）（ｃ）（ｄ）に示す。雌型５０・６０・７０・８０について、図２（ａ）（ｂ）（ｃ）（ｄ）に示す。一対を嵌め合わす手順について図３（ａ）（ｂ）に示す。有効に引っ掛かり合う一対とその設け方について図４（ａ）（ｂ）（ｃ）に示す。仮想軸を成せる一対の仕組みや連結箇所の適宜なゆとり分について図５（ａ）（ｂ）と図１（ａ）と図２（ａ）（ｂ）に示す。
【００３８】
該装置をコンポスト１００に採用した場合について図６（ａ）（ｂ）と図７（ａ）（ｂ）と図５（ａ）に示す。ペール２００や漬物容器３００に採用した場合について図８（ａ）（ｂ）と図９（ａ）（ｂ）と図１０（ａ）（ｂ）（ｃ）に示す。魚釣り用バケツ４００に採用した場合について図１１（ａ）（ｂ）（ｃ）と図１２（ａ）（ｂ）に示す。食器籠５００に採用した場合について図１３と図１４（ａ）（ｂ）と図１５（ａ）（ｂ）に示す。鍋６００に採用した場合について図１６と図１７（ａ）（ｂ）（ｃ）に示す。タッパー７００に採用した場合について図１８と図１９（ａ）（ｂ）に示す。袋用ハンガー８００に採用した場合について図２０（ａ）（ｂ）に示す。分別用スタンド式袋用ハンガー９００に採用した場合について図２１（ａ）（ｂ）（ｃ）と図２２（ａ）（ｂ）に示す。仮想軸を成せない一対と仮想軸を成せる一対との比較を図２３（ａ）（ｂ）に示す。材質の厚みを３ｍｍとして、連結箇所のゆとり分が多すぎるものと適宜なゆとり分である一対との比較を図２４（ａ）（ｂ）に示す。切り欠部の高さと幅の比を１対１から１対１０までの範囲外とした場合について図２５（ａ）（ｂ）に示す。
【００３９】
〔雄型について〕
雄型１０・２０・３０・４０について、図１（ａ）（ｂ）（ｃ）（ｄ）に基づいて説明する。図１（ａ）（ｂ）（ｃ）（ｄ）に示すように、雄型は、おおまか短形のものから対向する位置をコ字状２および逆コ字状２に切り欠く。好ましくはコ字状の切り欠部と逆コ字状の切り欠部の上下の辺３と４をＲ面に設ける。しかしＲ面でないものもよい。
切り欠部から上を頭部５、その下を胴部７、切り欠いた残部を首部６とするが、もしくは胴部のない雄型でもよい。頭部５の両側においては、下端１３を０．１ｍｍ〜０．５ｍｍ程度含めて先端１５までをアール形状にすれば好ましい。
以上のようにして図１（ａ）に示すような雄型１０を形成している。また、雄型１０が縦に分割された図１（ｂ）に示すような雄型２０を形成している。また、雄型１０、２０を縦方向に湾曲させて図１（ｃ）に示すような雄型３０を形成している。さらに、雄型１０、２０、３０の後面に切り欠き線４２を配列して、蓋の重みでたわむように形成した図１（ｄ）に示すような雄型４０などを形成している。
これらの雄型は、切り欠部の高さと幅の比としてとくに制限はないが、１対１から１対１０までの範囲内であれば、家庭用として十分に使用できる。
辺にＲ面を設けるという説明を捕捉すると、図１（ａ）（ｂ）（ｃ）（ｄ）でもわかるように、材質に厚みがある関係で同一部分を正面から辺と見て、側面から面と見る意味である。
【００４０】
〔雌型について〕
雌型５０・６０・７０・８０について図２（ａ）（ｂ）（ｃ）（ｄ）に基づいて説明する。雄型の首部６を抱止することのできる、つまり雄型の首部６に引っ掛かることのできる左右から内側へ伸びた腕部５２を設ける。また、腕部５２の外側から下方にかけてまたがる周囲部５３を設ける。その中央に上下の辺５６と５８を好ましくはＲ面に設ける胸穴５４あるいは長穴６４を成す。しかしＲ面でないものもよい。
以上のようにして、図２（ａ）に示すような胸穴５４を成す雌型５０を形成している。あるいは、図２（ｂ）に示すような長穴６４を成す雌型６０を形成している。また、雌型５０、６０が縦に分割された図２（ｃ）に示すような雌型７０を形成している。また、雌型５０、６０、７０を縦方向に湾曲させた図２（ｄ）に示すような雌型８０を形成している。さらに、雌型５０、６０、７０、８０の後面に切り欠き線４２を配列して、蓋の重みでたわむ雌型などを形成することができる。
【００４１】
〔雄型と雌型の組み合わせについて〕
以上のような雄型と雌型からさまざまな一対の組み合わせができる。
一対を嵌め合わす手順について図３（ａ）（ｂ）、有効に引っ掛かり合う一対とその設け方について図４（ａ）（ｂ）に基づいて説明する。
図３（ａ）に示すように、まずは片側どうしを引っ掛け合わす、次に残る片側どうしも引っ掛け合わすという手順で嵌め合わす。がしかし、この一対は着脱するために利用するから、嵌め合わしたものを、その一方では取り外すことも可能にしなければならない。そのため、取り外せる範囲内において最も引っ掛かり合うことのできる、すなわち有効に引っ掛かり合う一対を設ける。
【００４２】
有効に引っ掛かり合う一対を設けるために図４（ａ）に示すように、雄型に相対させながら雌型の条件を定義する。その条件とは、
コ字状および逆コ字状の切り欠部幅４の中間点から垂直線を下ろす。その垂直線上に基点６６を設け、左右の基点６６から内側へ伸びた左からの腕部５２と右からの腕部５２を設ける。
腕部の幅５６をコ字状および逆コ字状の切り欠部幅４と同等にするか、あるいは同等以上から、より内側へ伸ばして左からの腕部５２と右からの腕部５２が結合する点まで、図４（ｂ）に示す結合点６８までの間であればよい。腕部５２を結合点６８まで設けると、左右の腕部が結合して一つになる。それを図４（ｂ）に示す長穴６４を成す雌型としている。
【００４３】
以上の定義に従って一対を形成すれば、前記したように雄型頭部の両側下端を０．１ｍｍ〜０．５ｍｍ程度含めて上端までをアール形状に形成していることから、図３（ａ）に示すように残る片側の頭部５は、雌型の胸穴をぎりぎり通過する。通過させて中央に収めると、図４（ｃ）に示すように互いは有効に引っ掛かり合う。また、同図に示すように、有効に引っ掛かり合う一対であれば、少なくともコ字状および逆コ字状の切り欠部幅４の幅半分が雄型と雌型のどちらにも引っ掛かる、あるいはそれ以上が相方に引っ掛かる幅である。
なお、コ字状および逆コ字状の切り欠部幅４の中間点から外側０．５ｍｍ程度に相対する位置を基点として腕部を設けた場合、雄型の頭部の両側下端を切り落とさなくても、その頭部は、雌型の胸穴あるいは長穴を通過する。
【００４４】
また、コ字状および逆コ字状の切り欠部幅４より少々短い腕部の幅５６に設けるもの、あるいは腕部を設ける基点の位置をコ字状および逆コ字状の切り欠部幅４の中間点から内側また外側へ少々ずらすものなども使用できるが、有効に引っ掛かり合う一対に比較すると劣るものである。例えば一対の片方だけはコ字状および逆コ字状の切り欠部幅４の幅半分、またはそれ以上引っ掛かることができても、相方の引っ掛かりがコ字状および逆コ字状の切り欠部幅４の幅半分に満たないものなどである。
【００４５】
腕部の幅５６をコ字状および逆コ字状の切り欠部幅４と同等にした図３（ａ）（ｂ）や図４（ａ）に示す一対の場合、一方では、図３（ｂ）に示すように雌型腕部５２が、雄型切り欠部を通過する。このように互いは二方向から通過し合えることになり、二方向から嵌め合わすことができる。つまり雄型に対しては正面方向とその頭部方向から、雌型を嵌め外しすることができる。また、雌型に対しては正面方向とその腕部方向から雄型を嵌め外しすることができるので、袋用ハンガーやタッパーなどにこの一対を採用して便宜を図っている。
【００４６】
〔仮想軸を成せる一対の仕組みについて〕
仮想軸を成せる一対の仕組みや連結箇所の適宜なゆとり分について図５（ａ）（ｂ）と図１（ａ）と図２（ａ）（ｂ）に基づいて説明する。
引っ掛け合わした一対は襷がけに交差しているので、一対の片方を固定すれば、その相方をある程度回動させることが可能である。このことを利用するために、例えば図５（ａ）（ｂ）に示すように、容器体から雌型８０を突設して固定し、蓋から雄型３０や雄型１０を突設する。図５（ａ）に示す雌型８０と雄型３０の一対、または図５（ｂ）に示す雌型８０と雄型１０の一対などを引っ掛け合わして容器体に蓋を取り付け、取り付けた蓋を回動させる。
【００４７】
さらに、任意の位置まで蓋を回動させることを可能にすれば、開いて円弧上の任意の位置に蓋は保持されることになる。このように利用するためには、任意の角度だけ回動させることができる一対を、また、連結箇所を工夫して仮想軸を成せるような一対を形成すればよい。それには、
蓋を開閉するときの枢軸となる仮想軸を曲線から成せば無理があるから、図１（ａ）に示すように、コ字状および逆コ字状の切り欠部を成す上辺３と３を一直線上に設ける。それらのコ字状および逆コ字状の切り欠部幅４と４も一直線上に設ける。また、図２（ａ）（ｂ）に示すように、胸穴あるいは長穴を成す上辺５６、下辺５８を平行に設ける。連結箇所をこのように設けて仮想軸を成せるように仕組む。
【００４８】
また、角面があっては回動を妨げる。そのため、図５（ａ）（ｂ）に示すように、切り欠部を成す上下の辺３と４、胸穴あるいは長穴を成す上下の辺５６と５８を好ましくは扁平率５０％内外のＲ面に設ける。しかし、材質の厚みが薄い場合はＲ面に設けないでも使用できる。また傾斜面でも使用できる。
このようにすれば回動を妨げる角面もなくスムーズに回動させることができる。延いては、切り欠部の高さ８、胸穴の高さ５５あるいは長穴の高さ５５も抑えられる。
【００４９】
さらに、蓋を開いて保持する位置が円弧上の角度を要するほど、切り欠部、胸穴あるいは長穴が、それなりの高さを要する。高さがありすぎると、連結箇所に加わるゆとり分が多すぎて、良い仮想軸を成せない。良い仮想軸を成すには、それらの高さが適宜であることが理想である。
そのためには、蓋を開いて保持できる位置を検討し、回動させる角度を最小限に留めるようにする。例えば、山形にふくらんだ形状の、また上面に持ち手が固設されているような蓋は、９０度開いた蓋の重心が外側寄りになる。このような理由から、蓋を開いて円弧上９０度程度を保持位置とすることができる。
【００５０】
また、連結箇所には開いた蓋を支える支点が生じるが、蓋の全周に形成されているフランジ部先端から雄型あるいは雌型を突設すれば、蓋の上面から突設した場合と比較して、支点が内側に入り、重心が外側に寄りやすいので、タッパーのような軽い蓋の場合でも、開いて円弧上１００度程度で保持位置とすることができるし、蓋の容量も嵩み重量も増す場合は、９０〜９５度程度で開いた蓋の重心が外側に寄る。このような理由から、蓋の保持位置を９０〜１００度程度に決めることができる。
【００５１】
蓋の保持位置を９０〜１００度程度に決めた場合、切り欠部の高さ、胸穴あるいは長穴の高さ、それらを相方の材質の厚みに対して１．５〜２．４倍程度の高さに設定することができる。この程度の高さであれば、雄型、雌型の材質の厚みが例えば１〜３．５ｍｍ程度の場合、連結箇所に加わるゆとり分が０．５〜５ｍｍ程度である。連結箇所のゆとり分は、切り欠部の高さ、胸穴あるいは長穴の高さから、相方材質の厚み分を引くところの残り分であるが、この残り分を０．５〜５ｍｍまでとすれば、十分に良い仮想軸を成せる。
もし材質の厚みが３．５ｍｍ以上あったとしても、切り欠部を成す上下の辺３と４、胸穴あるいは長穴を成す上下の辺５６と５８を扁平率５０％以下のＲ面に設けることによって仮想軸を成せる。
以上のようにして形成した一対を容器体と蓋に設け、容器体に取り付けた蓋を開いて円弧上９０〜１００度程度に保持することができる。また、一対の連結箇所において枢軸となる仮想軸を成せる。さらに、連結箇所に０．５〜５ｍｍ程度の適宜なゆとり分が加わる。
【００５２】
例えば、
図５（ａ）に示す一対により取り付けた蓋を９０度だけ回動させるには、雄型切り欠部の高さ８が相方雌型８０の材質の厚みの約１．６倍、また、雌型長穴の高さ５５が相方雄型３０の材質の厚みの約１．７倍であればよい。雄型、雌型の材質の厚みを２．５〜３．５ｍｍ程度とすれば、連結箇所に加わるゆとり分は１．５〜２．５ｍｍである。
図５（ｂ）に示す一対により取り付けた蓋を１００度だけ回動させるには、雄型切り欠部の高さ８は相方雌型８０の材質の厚みの約１．８倍、また、雌型長穴の高さ５５は相方雄型３０の材質の厚みの約２倍であればよい。雄型、雌型の材質の厚みを２．５〜３．５ｍｍ程度とすれば、連結箇所に加わるゆとり分は２〜３．５ｍｍである。
【００５３】
図５（ａ）（ｂ）に示す一対のように、適宜なゆとり分が加わることで、取り付けられた蓋を上下、水平、斜め方向へと少々移動させることができる。そして、容器体上方開口の内周縁あるいは外周縁にぴったり係合するフランジ部を、またある程度深さのあるフランジ部を全周に有する蓋を備えた容器に採用した場合、取り付けた蓋のフランジ部先端を容器体上部開口の内周縁や外周縁に合致させることができる。このように蓋の嵌め外しが可能になるので従来からの一般的な容器にも採用できる。
【００５４】
なお、図５（ｂ）に示すものが、蓋を１００度開けると、蓋に突設した雄型１０の頭部５も反対方向に同じ１００度だけ作動するように、蓋を９０〜１００度程度しか開けないので、頭部また腕部が要する作動範囲も９０〜１００度程度あれば足りる。そのようなことから、雄型および雌型を容器体および蓋に設けるに際しては、水平方向へ向けたり、斜め上方や斜め下方へ傾斜させたり、または、ほぼ下方へ向けたりして、容器の形状に合わせながら角度を設けて突設することができる。
【実施例１】
【００５５】
該装置をコンポスト１００に採用した場合について図６（ａ）（ｂ）と図７（ａ）（ｂ）と図５（ａ）に基づいて説明する。コンポスト１００は、図５（ａ）で示した雄型３０と雌型８０との組み合わせを採用し、コ字状および逆コ字状の切り欠部幅４を１〜１．５ｃｍ程度に設けて定義に従った一対を形成している。また、図６（ｂ）に示すように、雄型３０を蓋１２０の上面に沿わせて突設し、図６（ａ）に示すように、雌型８０をコンポスト１００の筒体側面１３０から突設している。
この蓋は山形にふくらんだ形状であり、容量も嵩み重量も増すので図７（ａ）に示すように、９０度開いた蓋１２０の重心は支点より後方寄りになる。従って図５（ａ）に示す一対のところで説明したように雄型、雌型の材質の厚みを２．５〜３．５ｍｍ程度とすれば、連結箇所に加わるゆとり分は１．５〜２．５ｍｍである。
このような仮想軸を成せる一対を形成し、図７（ｂ）に示すように蓋を開いて円弧上９０度の位置に保持していちいち取り外さなくても済むようにしている。
【実施例２】
【００５６】
該装置をペールや漬物容器に採用した場合について図８（ａ）（ｂ）と図９（ａ）（ｂ）と図１０（ａ）（ｂ）（ｃ）に基づいて説明する。図８（ａ）に示すペール２００や図１０（ｂ）に示す漬物容器３００は、図９（ａ）（ｂ）に示すような雄型１０と雌型６０との組み合わせを採用し、コ字状および逆コ字状の切り欠部幅４を１〜１．５ｃｍ程度にして定義に従った一対を形成している。ペール２００は、図８（ａ）に示すように、従来からの取っ手２４０に長穴を形成して雌型６０とし、兼用している。図１０（ｂ）に示す漬物容器３００の場合は、ペール同様に長穴を設けた取っ手３４０を固設して雌型６０とし、兼用している。雄型１０は雌型６０とたすきがけに交差させることができるように、図８（ｂ）や図１０（ａ）に示すように、蓋の全周に形成されているフランジ部２２０や３２０から斜め下方へ傾斜させて突設している。
【００５７】
この蓋は容量も嵩み重量も増すので、開いて９０〜９５度程度で蓋の重心が外側に寄ることから図１０（ｃ）に示すように、９５度回動する切り欠部の高さ８と長穴の高さ５５を、相方の材質の厚みの２倍程度に設定し仮想軸を成せる一対を形成している。このようにして、図８（ａ）や図１０（ｂ）に示すように蓋を開いて円弧上９５度の位置に保持し、いちいち取り外さなくても済むように、また蓋の置き場に困らないようにしている。
また、図９（ａ）や図１０（ｃ）に示すように、取っ手２４０や３４０の平板部分、つまり雌型６０の腕部５２によって開いて保持する蓋の下方を支えることができるので、蓋の重量による雄型１０に掛かる負担を軽減させることができる。
なお、従来からの蓋の持ち手も利用するには、図８（ａ）に示すように、四方に形成してあった取っ手を三方にすればよい。
【実施例３】
【００５８】
該装置を魚釣り用バケツに採用した場合について図１１（ａ）（ｂ）（ｃ）と図１２（ａ）（ｂ）に基づいて説明する。図１２（ａ）に示すような容器体上面周縁部の全周に形成されたふくらみ４３０を有する図１１（ａ）に示す魚釣り用バケツ４００は、つまりパチンと閉まる密閉容器であり、取っ手を設けてある関係で容器体側面４６０の全周に形成されたフランジ部４４０、４５０などを有している。蓋はパチンと閉めるために形成されたフランジ部４２０を蓋の全周に有している。また、外形４０×４０ｃｍ程度の材質ポリエチレンであり、厚み２〜２．５ｍｍであるこの蓋を開いて１００度を保持位置としている。
【００５９】
この場合、雄型２０と雌型８０との組み合わせを採用し、コ字状および逆コ字状の切り欠部幅４を１〜２ｃｍ程度にして定義に従った一対を形成している。雌型８０は図１１（ｂ）や図１２（ａ）に示すように、容器体側面に形成されたフランジ部４４０から斜め上方へ傾斜させて突設している。さらに、容器体側面の次の段のフランジ部４５０から容器体側面４６０にまで接合させるブラケット４７０を設け、雌型８０の強度を補っている。
雄型２０を、図１１（ｃ）や図１２（ａ）（ｂ）に示すように、蓋のフランジ部４２０の先端部分から水平方向に突設している。蓋の上面から突設した場合に比較して、支点が内側に入り、重心が外側に寄りやすい理由から、この蓋を開いて１００度を保持位置としているが雄型２０も蓋もどちらもたわみやすいので、連結箇所に生じる図１２（ａ）に示す支点１と腕部５２による支点２を設けてたわみやすい蓋を保持させている。従って雄型２０に掛かる負担も軽減される。
【００６０】
また図１２（ａ）に示すように、１００度回動する切り欠部の高さ８と長穴の高さ５５を、相方の厚みの２〜２．２倍程度に設定しているので、連結箇所に加わるゆとり分は２〜３ｍｍである。適宜なゆとり分が加わるので、パチンと閉める蓋を上下、水平、斜め方向へと少々移動させて、そのフランジ先端部分を容器体上面周縁部の全周に形成されたふくらみ４３０に合致させることができる。このようにして、蓋をいちいち取り外さなくても済むようにしている。
【実施例４】
【００６１】
該装置を、食器籠に採用した場合について図１３と図１４（ａ）（ｂ）と図１５（ａ）（ｂ）に基づいて説明する。図１３に示す食器籠５００は、容器体、網籠５１０および蓋を有する。また、容器体上面周縁部の全周に形成されたフランジ部５４０を有する。
図１４（ａ）（ｂ）に示すように、雄型２０と雌型７０との組み合わせを採用し、コ字状および逆コ字状の切り欠部幅４を１〜２ｃｍ程度にして定義に従った一対を形成している。雄型２０は、図１４（ａ）や図１５（ａ）（ｂ）に示すように、蓋のフランジ部５２０から斜め下方へ傾斜させて突設している。雌型７０を、図１４（ｂ）に示すように、容器体フランジ部５４０から水平方向に突設している。図１５（ａ）でわかるように、９０度回動する切り欠部の高さ８と長穴の高さ５５を、相方の厚みの１．８〜２倍程度に設定し、仮想軸を成せる一対を形成している。９０度開いた蓋の下方を支えるために、図１４（ｂ）に示すように、腕部５２の先端部分に立ち上げたブラケット５７０やそのブラケット５７０を容器体側面５３０に接合させるためのブラケット５７０などを形成している。
【実施例５】
【００６２】
該装置を鍋に採用した場合について図１６と図１７（ａ）（ｂ）（ｃ）に基づいて説明する。図１６に示す鍋６００は、容器体の内周縁に係合するフランジ部６２０が全周に形成された蓋を有している。開いて立てたとき、図１７（ｂ）に示すような窪み６５０を有する蓋である。この窪み６５０があれば、蓋を開放することに伴って下方に流下するつゆの溜まる受け皿となる点で、好ましい形状の蓋と言える。
この鍋容器体には、図１６に示すような取っ手６４０が固着されているので、兼用するために、長穴を形成して雌型６０としている。相方となる雄型３０を図１６や図１７（ｂ）に示すように、蓋の上面６３０から沿わせて突設し、コ字状および逆コ字状の切り欠部幅４を０．５〜１．５ｃｍ程度にして定義に従った一対を形成し、図１７（ａ）に示すように蓋を開いて９０度に保持している。この鍋の蓋は山形にふくらんだ形状であり、また上面に持ち手が固設されているので９０度開いて蓋の重心が外側に寄る。
【００６３】
図１７（ｂ）は鍋材質の厚みまた雄型と雌型の厚み１．２ｍｍとしたものである。この一対は切り欠部の高さ８と長穴の高さ５５を厚みの２．５〜３倍程度に設定しているので、連結箇所にはゆとり分が１．８ｍｍ〜２．４ｍｍ程度加わっている。
図１７（ｃ）は鍋材質の厚みまた雄型と雌型の厚み２ｍｍとしたものである。この一対は切り欠部の高さ８と長穴の高さ５５を厚みの２倍程度に設定しているので、連結箇所にはゆとり分が２ｍｍ程度加わっている。
また、図１７（ｂ）（ｃ）に示すように、雄型頭部５を取っ手６４０の側面に当てる形状に形成することができるので、それ以上蓋が開かないためのストッパーの役目を果たしている頭部５である。
【実施例６】
【００６４】
該装置をタッパーに採用した場合について図１８と図１９（ａ）（ｂ）に基づいて説明する。図１８に示すタッパー７００は、容器体上方開口の内周縁および外周縁にぴったり係合するフランジ部７２０が蓋の全周に形成されている。
雌型８０を図１８や図１９（ｂ）に示すようにその蓋フランジ部７２０からほぼ下方へ向けて突設している。また、雄型１０を、容器体側面全周に形成されているフランジ部７４０から、斜め下方へ傾斜させて突設している。コ字状および逆コ字状の切り欠部幅４を０．５〜１．５ｃｍ程度にして定義に従った一対を形成し、１００度回動する切り欠部の高さ８と長穴の高さ５５を、相方の厚みの２〜２．３倍に設定している。この雄型と雌型の部分の厚みが２〜３．５ｍｍであれば、連結箇所に加わるゆとり分は２〜４．５ｍｍである。なお、二方向から嵌め外しできるようにして便宜を図っている。
タッパーのような密閉容器は、水分を含む食べ物などを保存するため日常使用されているが、洗浄、着脱の頻度がとくに多い容器である。そのような観点から、きわめて簡素で洗浄しやすい構成と、容易に着脱できることが要求される。雄型と雌型の組み合わせからなる一対と容器体、蓋、それだけで構成している点、着脱がしごく容易である点などから、それらの要求を満たすことができる。また、配膳するとき蓋が迷子にならないで済む。
【実施例７】
【００６５】
該装置を袋用ハンガーに採用した場合について図２０（ａ）（ｂ）に基づいて説明する。図２０（ａ）に示す袋用ハンガー８００は、口金８３０、フック８４０、収納袋８５０および蓋８２０から構成されている。図２０（ｂ）に示すように、フック８４０の突設部に雄型１０を形成し、蓋８２０の一側縁部に雌型５０を形成している。コ字状および逆コ字状の切り欠部幅４を３〜５ｍｍ程度にして定義に従った一対を形成している。この蓋は、たわむ材質の厚み２ｍｍ程度のプラスチックフィルムから形成されており、口金８３０よりも広めの外形であるため、手の甲で押し曲げて開けることができる。従って、切り欠部の高さ８と胸穴の高さ５５は、プラスチックフィルムの厚み分とそれに少々加えるものでよい。この場合、切り欠部を成す上下の辺、胸穴を成す上下の辺をＲ面に設けないで済む。
このように、コ字状および逆コ字状の切り欠部幅４をほんの３〜５ｍｍ程度に設定しているが、袋用ハンガーのフックと蓋に引っ掛かりを設けることができる。リサイクル品などの分別用として外壁などの高所に配置された場合、強風にあおられても、蓋や収納袋が吹き飛ばされないで済む。この場合も二方向から嵌め外しできるようにして便宜を図っている。
【実施例８】
【００６６】
該装置をリサイクル品など分別しながら収納するためのスタンド式袋用ハンガーに採用した場合について図２１（ａ）（ｂ）（ｃ）と図２２（ａ）（ｂ）に基づいて説明する。図２１（ａ）に示すスタンド式袋用ハンガー９００は、５枚の収納袋８５０を取り付けるために５角形のつなぎ用リング型定板９４０がスタンド式に固設されている。このリング型定板９４０の内周の各面中央に図２１（ｂ）に示すような、蓋の取り付け用部品である雄型４０を図２２（ａ）示すようにボート締めにより固定している。
この雄型４０に配列された切り欠き線４２を、部分的にくびれるような形状にポリプロピレンなどから形成すれば、蓋の重量によってその位置でたわむものになる。
【００６７】
また、図２１（ｃ）に示すように、蓋９２０の一側縁部に雌型６０を形成している。このような雄型４０と雌型６０との組み合わせを採用し、コ字状および逆コ字状の切り欠部幅４を１〜１．５ｃｍ程度にして前記の袋用ハンガー同様厚み２ｍｍ程度のプラスチックフィルムから形成している。
このようにすれば図２２（ｂ）に示すように、開いた蓋９２０の軽重によって切り欠き線４２の位置で雄型４０がたわむので、５枚の蓋９２０を開けて保持することができるし、リサイクル品を廃棄処分するときに蓋を取り外さないで済む。
この雄型４０のように、部品として雄型また雌型を形成することができる。これを発展させて、紙製の容器体に紙製の部品を接着したり、缶類に部品を固着したり、ビン類、陶器類などに雄型また雌型を形成したり、また、木製の容器体および蓋に部品をネジ止めしたりすることもできると考えられる。
〔比較例１〕
【００６８】
仮想軸を成せないものと仮想軸を成せるものとの比較を図２３（ａ）（ｂ）に基づいて説明する。図２３（ａ）も図２３（ｂ）も、容器体の周縁ｍから長穴を成す雌型を突設し、蓋のフランジ部ｎから雄型を突設しているが、悪い例を示した図２３（ａ）のように、容器体の周縁ｍや蓋のフランジ部ｎが弧を描いていると、それにつられて長穴を成す上下の線分やコ字状および逆コ字状の切り欠部を成す上下の線分などを弧に設けやすい。が、蓋を回動させるための枢軸となるものは、シャフトやピンなどであったように直線から成すべきであり、弧を描くような曲線から成るものは枢軸としての機能を果たせない。枢軸としての機能を果たせない図２３（ａ）に示したようなものは、仮想軸をも成せない。
仮想軸を成せる一対を設けている良い例として、図２３（ｂ）に示す一対は、長穴を成す上下の辺５６と５８を平行に設け、切り欠部を成す上辺３と３、コ字状および逆コ字状の切り欠部幅４と４を一直線上に設けている。
〔比較例２〕
【００６９】
材質の厚みを３ｍｍに例えて、連結箇所のゆとり分が多すぎるものと適宜なゆとり分である一対との比較を図２４（ａ）（ｂ）に基づいて説明する。連結箇所のゆとり分ｈは、切り欠部の高さｔ から相方材質の厚み分ｓ を引くところの残り分ｈ である。この残り分ｈを０．５〜５ｍｍまでとすれば、適宜であることを前記している。
図２４（ａ）に示すものは、切り欠部の高さｔを相方材質の厚みｓの３倍程度の９ｍｍに設定したもので、ゆとり分ｈが６ｍｍとなる。これでは連結箇所のゆとり分が多くてがたつきが多すぎるため、仮想軸を成す機能を果たせない。
図２４（ｂ）に示す一対は、切り欠部の高さｔを相方材質の厚みｓの２倍程度の６ｍｍに設定したものであるが、連結箇所に適宜なゆとり分３ｍｍが加わっているので仮想軸を成せる。
なお、材質の厚みが３．５〜５ｍｍ、もしそれ以上の厚みがあったとしても、材質の厚みが厚い程、切り欠部を成す上下の辺、胸穴あるいは長穴を成す上下の辺を扁平率５０％以下のＲ面に設けることが可能であることから、適宜なゆとり分が加わる一対を形成することは可能である。
〔比較例３〕
【００７０】
切り欠部の高さと幅の比を１対１から１対１０までの範囲外とした場合について図２５（ａ）（ｂ）に基づいて説明する。切り欠部の高さと幅の比としてとくに制限はないが、１対１から１対１０までの範囲内であれば、家庭用として十分に使用できることを前記している。つまり、引っ掛け合わすことが目的である切り欠部は、高さと幅の比が１対１から１対１０までの範囲内であれば、十分に目的は達成される。
１対１０の１０よりも切り欠部の幅が多い、例えば図２５（ａ）に示すような雄型を形成した場合、範囲を超えた分はあってもなくてもいいような無駄な部分となる。そのような無駄なものは形成しない方がよい。
また、１対１の１よりも切り欠部の高さがありすぎる、例えば図２５（ｂ）に示すような雄型を形成すれば、外れやすい問題が生じて容器体に蓋を取り付けた意味がなく、機能を果たせない。高さがありすぎても、連結箇所に加わるゆとり分が多すぎて、良い仮想軸を成せないことを前記している。
【図面の簡単な説明】
【００７１】
【図１】本発明のいろいろな雄型の斜視図である。（ａ）は、雄型１０である。（ｂ）は、雄型１０を縦に分割した雄型２０である。（ｃ）は、雄型１０や雄型２０を縦方向に湾曲させた雄型３０である。（ｄ）は、雄型１０や雄型２０や３０の後面に切り欠線４２を配列した雄型４０である。
【図２】本発明のいろいろな雌型の斜視図である。（ａ）は、胸穴を成す雌型５０である。（ｂ）は、長穴を成す雌型６０である。（ｃ）は、雌型５０や６０を縦に分割した雌型７０である。（ｄ）は、雌型５０や６０や７０を縦方向に湾曲させた雌型８０である。
【図３】一対を嵌め合わす手順についての斜視図である。（ａ）は、雄型頭部１４が雌型の胸穴をぎりぎりの状態で通過しているところである。（ｂ）は、雌型腕部５２が雄型の切り欠部を通過しているところである。
【図４】有効に引っ掛かり合う一対とその設け方について示す。（ａ）は、定義された条件に従って形成される一対の正面図である。（ｂ）は、左右から伸びた腕部が結合し一つの腕部になるもので、長穴を成すとしている雌型の正面図である。（ｃ）は、有効に引っ掛かり合う様を雄型の上面から見た図である。また、少なくともコ字状および逆コ字状の切り欠部幅４の幅半分が雄型と雌型のどちらにも引っ掛かることを示す。
【図５】仮想軸を成せる一対の断面図である。（ａ）は、容器体に雌型８０を、蓋に雄型３０を突設したと仮定するもので、蓋を９０度回動できる一対である。また、切り欠部の高さ８、長穴の高さ５５を示す。（ｂ）は、容器体に雌型８０を、蓋に雄型１０を突設したと仮定するもので、蓋を１００度回動できる一対である。また、仮想軸を示す。
【図６】コンポストに採用した場合である。（ａ）は、コンポストに採用した一対の斜視図である。（ｂ）は、雄型３０を突設した蓋の側面図である。
【図７】コンポストに採用した場合である。（ａ）は、蓋の重心が支点より後方に寄る様子を示した断面図である。（ｂ）は、蓋を９０度開いて保持している様子を示した斜視図である。
【図８】ペールに採用した場合である。（ａ）は、蓋を９５度開いて保持している様子を示した斜視図である。（ｂ）雄型１０を突設した蓋の断面図である。
【図９】ペールや漬物容器に採用した雄型と雌型である。（ａ）は、取っ手と兼用した雌型６０の斜視図である。（ｂ）は、蓋に突設した雄型１０の斜視図である。
【図１０】漬物容器に採用した場合である。（ａ）は、雄型１０を突設した蓋の断面図である。また、蓋の重心が支点より後方に寄る様である。（ｂ）は、蓋を９５度開いて保持している様の斜視図である。（ｃ）は、蓋を９５度開いて保持しているときの連結箇所の状態、また、開いた蓋の下方を雌型６０の腕部で支えている様を示す断面図である。
【図１１】魚釣り用バケツに採用した場合である。（ａ）は、魚釣り用バケツの蓋を１００度開いて保持している様の斜視図である。（ｂ）は、容器体に突設した雌型８０の斜視図である。（ｃ）は、蓋に突設した雄型２０の斜視図である。
【図１２】魚釣り用バケツに採用した場合である。（ａ）は、蓋を開いて１００度に保持しているときの連結箇所の支点１と、開いた蓋の下方を雌型８０の腕部で支えている支点２を示す。また、蓋を開いて１００度に保持しているときの連結箇所の状態を示す断面図でもある。（ｂ）は、雄型２０を突設した蓋の断面図である。また、１００度開いた蓋が支点より後方に寄る様を示す断面図である。
【図１３】食器籠に採用した場合の容器体と網籠および蓋の斜視図である。
【図１４】食器籠に採用した場合である。（ａ）は、蓋に突設した雄型２０の斜視図である。（ｂ）は、容器体に突設した雌型７０とブラケットの斜視図である。
【図１５】食器籠に採用した場合である。（ａ）は、蓋を開いて９０度に保持しているときの連結箇所の状態、また、開いた蓋の下方をブラケットで支えている様を示す断面図である。（ｂ）は、雄型２０を突設した蓋の断面図である。また、９０度開いた蓋が支点より後方に寄る様を示す。
【図１６】鍋に採用した場合の容器体と蓋の斜視図である。
【図１７】鍋に採用した場合である（ａ）は、蓋を開いて９０度に保持している様の斜視図である。（ｂ）は、切り欠部の高さ８と長穴の高さ５５を材質の厚みの２．５〜３倍程度に設定した一対の断面図であり、雄型頭部が、取っ手側面に当たってストッパーの役目を果たしている様でもある。（ｃ）は、切り欠部の高さ８と長穴の高さ５５を材質の厚みの２倍程度に設定した一対の断面図であり、雄型頭部が取っ手側面に当たってストッパーの役目を果たしている様でもある。
【図１８】タッパーに採用した場合の容器体と蓋の斜視図である。
【図１９】タッパーに採用した場合である。（ａ）は、蓋を開いて１００度に保持している様の斜視図である。（ｂ）は、蓋を開いて１００度に保持しているときの連結箇所の状態、また、１００度開いた蓋が支点より後方に寄る様を示す断面図である。
【図２０】袋用ハンガーに採用した場合である。（ａ）は、手の甲で押し曲げて開ける様子を示す側面図である。（ｂ）は、フックと蓋の斜視図である。
【図２１】分別用スタンド式袋用ハンガーに採用した場合である。（ａ）は、スタンド式袋用ハンガーの斜視図である。（ｂ）は、蓋取り付け部品である、切り欠線を有する雄型の斜視図である。（ｃ）は、蓋の斜視図である。
【図２２】分別用スタンド式袋用ハンガーに採用した場合である。（ａ）は、分別用スタンド式袋用ハンガーに採用した一対の側面図である。（ｂ）は、切り欠き線の位置でたわむ蓋取り付け部品によって、蓋を十分に開いて保持している様を示す側面図である。
【図２３】仮想軸を成せない一対と仮想軸を成せる一対とを比較した上面図である。（ａ）は、仮想軸を成せない一対である。（ｂ）は、仮想軸を成せる一対である。
【図２４】材質の厚みを３ｍｍに例えて、連結箇所に適宜なゆとり分を加えた一対とゆとり分が多すぎて仮想軸を成しにくい一対とを比較した斜視図である。（ａ）は、連結箇所のゆとり分が多すぎて仮想軸を成しにくい一対である。（ｂ）は、連結箇所に適宜なゆとり分が加わり仮想軸を成せる一対である。
【図２５】切り欠部の高さと幅の比を１対１から１対１０までの範囲外とした雄型の正面図である。（ａ）は、１対１０の１０よりも切り欠部の幅がありすぎる雄型である。（ｂ）は、１対１の１よりも切り欠部の高さがありすぎる雄型である。
【符号の説明】
【００７２】
２  コ字状の切り欠部、また逆コ字状の切り欠部
３  切り欠部の上辺
４  コ字状および逆コ字状の切り欠部幅（切り欠部の下辺）
５  頭部
６  首部
７  胴部
８  切り欠部の高さ
１０  原型の雄型
１３  頭部下端
１５  頭部先端
２０  雄型１０を縦に分割させた雄型
３０  雄型１０、２０などを縦方向に湾曲させた雄型
４０  雄型１０、２０、３０などの後面に切り欠き線４２が配列されていて、たわむ雄型
４２  蓋の重量によってたわませるために形成されている切り欠き線
５０  胸穴を成す原型の雌型
５２  腕部
５３  周囲部
５４  胸穴
５５  胸穴、長穴の高さ
５６  胸穴、長穴の上辺
５８  胸穴、長穴の下辺
６０  長穴を成す原型の雌型
６４  長穴
６６  切り欠部幅の中間点、雌型腕部を設けるときの基点
６８  左から伸びた腕部５２と右から伸びた腕部５２との結合点
７０  雌型５０、６０などを縦に分割させた雌型
８０  雌型５０、６０、７０などを縦方向に湾曲させた雌型
１００  コンポスト
１２０  コンポストの蓋
１３０  コンポストの筒体側面
２００  ペール
２２０  ペール蓋のフランジ部
２４０  ペールの取っ手
３００  漬物容器
３２０  漬物容器蓋のフランジ部
３４０  漬物容器に固設した取っ手
４００  魚釣り用バケツ
４２０  魚釣り用バケツ蓋のフランジ部
４３０  容器体上面周縁部の全周に形成されたふくらみ
４４０  魚釣り用バケツの容器体側面に形成されたフランジ部
４５０  魚釣り用バケツの容器体側面に形成されたフランジ部
４６０  魚釣り用バケツ容器体側面
４７０  魚釣り用バケツに形成する雌型８０を補助するためのブラケット
５００  食器籠
５１０  網籠
５２０  食器籠蓋のフランジ部
５３０  食器籠の容器体側面  
５４０  容器体フランジ部
５５０  容器体に接続させるためのブラケット
５７０  腕部５２の先端部分に設けたブラケット
６００  鍋
６２０  鍋蓋のフランジ部
６３０  鍋蓋の上面
６４０  鍋容器体の取っ手
６５０  開いて立てた状態のとき鍋蓋が有する窪み
７００  タッパー
７２０  タッパー蓋のフランジ部
７４０  タッパー容器体のフランジ部
８００  袋用ハンガー
８２０  袋用ハンガー蓋
８３０  袋用ハンガー口金
８４０  袋用ハンガーフック
８５０  収納袋
９００  分別用スタンド式袋用ハンガー
９２０  分別用スタンド式袋用ハンガーの蓋
９４０  つなぎ用リング型定板
ｍ  容器体の周縁
ｎ  蓋のフランジ部
ｓ  相方材質の厚み
ｔ  切り欠部の高さ
ｈ  ゆとり分
【図１】
2005041575.tif 000003
【図２】
2005041575.tif 000004
【図３】
2005041575.tif 000005
【図４】
2005041575.tif 000006
【図５】
2005041575.tif 000007
【図６】
2005041575.tif 000008
【図７】
2005041575.tif 000009
【図８】
2005041575.tif 000010
【図９】
2005041575.tif 000011
【図１０】
2005041575.tif 000012
【図１１】
2005041575.tif 000013
【図１２】
2005041575.tif 000014
【図１３】
2005041575.tif 000015
【図１４】
2005041575.tif 000016
【図１５】
2005041575.tif 000017
【図１６】
2005041575.tif 000018
【図１７】
2005041575.tif 000019
【図１８】
2005041575.tif 000020
【図１９】
2005041575.tif 000021
【図２０】
2005041575.tif 000022
【図２１】
2005041575.tif 000023
【図２２】
2005041575.tif 000024
【図２３】
2005041575.tif 000025
【図２４】
2005041575.tif 000026
【図２５】
2005041575.tif 000027